(57)【要約】【課題】既設のＰＣ鋼線５が劣化したドームリング３に対し、所期の強度を復元できる修復工法を提供し、特にドーム４の自重で発生するスラスト力の影響を効果的に軽減させた状態で修復作業を行うことができると共に、稼働中で側壁部２に貯蔵液体の内圧が作用している状態でも可能であり、ＰＣタンク１を休眠させる経済的な損失を無くし、更に長期間の使用を可能にする。【解決手段】ドーム４の表面に連続繊維シート７を被着して補強した状態で、側壁部２の上部に設けたドームリング３に対し、既設のＰＣ鋼線５を撤去して修復用のＰＣ鋼線８と置換させると共に、置換した修復用のＰＣ鋼線８を埋設する態様でドームリング３の外周にコンクリートの増打ちをした補強リング１２を設けるＰＣタンクのドームリング修復工法である。【選択図】　　図５
2004131968.tif 000002
【特許請求の範囲】
【請求項１】
ドームの表面に連続繊維シートを被着して補強した状態で、側壁部の上部に設けたドームリングに対し、既設のＰＣ鋼線を撤去して修復用のＰＣ鋼線と置換させると共に、置換した修復用のＰＣ鋼線を埋設する態様でドームリングの外周にコンクリートの増打ちをした補強リングを設けることを特徴としたＰＣタンクのドームリング修復工法。
【請求項２】
前記修復用のＰＣ鋼線は、シースで被覆したＰＣ鋼線を用いる請求項１に記載したＰＣタンクのドームリング修復工法。
【発明の詳細な説明】
【０００１】
【発明の属する技術分野】
本発明は、コンクリートタンクのドームリングを含む側壁外周に沿ってＰＣ鋼線などの緊張部材を巻き付けてプレストレスをかけた巻き付け式のプレストレスコンクリートタンク（以下、ＰＣタンクと言う）におけるドームリング修復工法に関する。
【０００２】
【従来の技術】
この種のＰＣタンクは、水や石油或いは低温液化ガスなどの貯蔵用として使用されているが、側壁にプレストレスを付与しているＰＣ鋼線が長期間使用中に腐食などで劣化し、これによってＰＣ鋼線の有効断面積が減少する。
【０００３】
このために、水などの貯蔵流体による内圧に対抗してコンクリート側壁に付与しているプレストレスが次第に低下し、そのまま放置しておくと腐食が更に進行し、ＰＣ鋼線が破断して内部からの流体圧でＰＣタンクに亀裂を生ずるなどの重大事に至るので、早めに修復工事をすることが必要である。
【０００４】
特に、側壁部の上端側に位置するドームリングは、ドームの自重による荷重で発生するスラスト力（外側に広げる力）に対抗するために、ＰＣ鋼線によって大きなプレストレスを導入しているが、ＰＣ鋼線が腐食などによって劣化してプレストレスが減少すると、ドーム及びドームリングに亀裂が発生する恐れがあるので、事前に修復工事を行う必要がある。
【０００５】
その際における修復工事は、例えば支柱などを仮設してドームの荷重を軽減する場合には、支柱などを仮設する工事が大掛かりで工事費が高騰すると共に、この仮設した支柱が修復工事の妨げになって作業能率を低下させ、工期を長引かせる要因になる恐れがある。
【０００６】
また、稼働中のＰＣタンクの場合には、ドームの自重による荷重で発生するスラスト力がドームリングを含む側壁部に作用しており、このスラスト力を解消すべく修復工事のために稼働中のＰＣタンクを一旦空にして支柱などを仮設することも不可能ではないが、経済的な損失が大きいので好ましくなく、このスラスト力に対抗できる手段を設けることが望ましい。
【０００７】
【発明が解決しようとする課題】
本発明では、既設のＰＣ鋼線が腐食などで劣化したドームリングに対し、所期の強度を復元できる修復工法を提供し、特にドームの自重で発生するスラスト力の影響を効果的に軽減させた状態で修復作業を行うことができると共に、稼働中で側壁部に貯蔵液体の内圧が作用している状態でも可能であり、ＰＣタンクを休眠させる経済的な損失を無くし、更に長期間の使用を可能にすることを主たる目的している。
【０００８】
【課題を解決するための手段】
本発明によるＰＣタンクのドームリング修復工法は、ドームの表面に連続繊維シートを被着して補強した状態で、側壁部の上部に設けたドームリングに対し、既設のＰＣ鋼線を撤去して修復用のＰＣ鋼線と置換させると共に、置換した修復用のＰＣ鋼線を埋設する態様でドームリングの外周にコンクリートの増打ちをした補強リングを設けるようにしている。
【０００９】
この修復工法では、ドームの表面に連続繊維シートを被着して補強することによって、ドームの自重による荷重で発生するスラスト力に対抗し、ドーム及びドームリングに加わるストレスを軽減し、亀裂などが発生するの防止することができるので、既設のＰＣ鋼線を修復用のＰＣ鋼線に置換する作業を容易且つ安全に行うことが可能である。
【００１０】
また、連続繊維シートによる補強は、例えば支柱などを仮設してドームの荷重を軽減するために仮設の支柱で支える場合などと比べ、仮設工事が大掛かりになって工事費を高騰させたり、支柱を仮設するためにＰＣタンクを一旦空にして休眠させることもなく、仮設した支柱が修復工事の妨げになって作業能率を低下させて工期を長引かせる恐れもない。
【００１１】
従って、劣化した既設のＰＣ鋼線を修復用のＰＣ鋼線と置換すると共に、ドームリングの外周にコンクリートの増打ちをした補強リングを設けることにより、当初のプレストレスが復元されて更に長期間の使用が可能になり、特に連続繊維シートは修復作業中における既設のＰＣ鋼線を切断及び撤去した際は勿論、修復後にも補強部材及び防食材として機能し、ＰＣタンクの耐久性を高めることができる。
【００１２】
また、この修復工法ではＰＣタンクが稼働中でも、ドームリングが過大な負荷を受けずに安全に修復作業を行うことができると共に、ＰＣタンクを休眠させる経済的な損失を無くすことができる。
【００１３】
前記ＰＣタンクの修復工法における前記修復用のＰＣ鋼線は、シースで被覆したＰＣ鋼線を用いる形態を採ることができる。
【００１４】
この修復工法では、裸鋼線による既設のＰＣ鋼線をシースで被覆したＰＣ鋼線に置換することで防錆性能及び引張力が向上し、複数段に設けた既設のＰＣ鋼線を少ない本数のＰＣ鋼線に置換することが可能となり、修復作業を容易にすることができると共に、耐久性も向上できる。
【００１５】
【発明の実施の形態】
以下、本発明によるＰＣタンクのドームリング修復工法を、その好適な実施形態を示す添付図面に基づいて詳細に説明するが、図１は、本発明が実施対象とするＰＣタンクの要部縦断面図を、図２〜図７は、本発明工法の施工工程の詳細説明図を、それぞれ示す。
【００１６】
図１で示すように、ＰＣタンク１は円筒状に形成された側壁部２の上部側にドームリング３が連設されており、ドームリング３の上端にはドーム４を設けると共に、ドームリング３を含む側壁部２の外周面には裸線によるＰＣ鋼線５が螺旋状に巻装され、ＰＣ鋼線５を埋設する態様でモルタルなどによる保護被覆層６が施されている。
【００１７】
ＰＣタンク１は、長期使用中に腐食などでＰＣ鋼線５の一部が劣化すると、その劣化した個所ではＰＣ鋼線５の断面が減少するので、プレストレスが低下して貯蔵流体の内圧に対抗できなくなり、そのまま放置しておくとＰＣ鋼線５が破断し、ＰＣタンク１に亀裂を生ずるなどの修復不能な事態を招くので、早急に修復を行う必要がある。
【００１８】
特に、側壁部２の上端部にあるドームリング３には、上端に設けたドーム４の自重が荷重として加わってスラスト力が作用するので、ＰＣ鋼線５の劣化でプレストレスが低下すると、ドームリング３に亀裂を生ずる恐れがあると共に、ドーム４にも亀裂を生ずる恐れがあり、事前に修復を必要とする。
【００１９】
この修復工法では、図２のようにドーム４の表面に亀裂防止用として引張強度の高い連続繊維シート７を予め被着して補強するが、この連続繊維シート７には例えばアラミド繊維シートなどを使用し、望ましくは二方向に対して補強できる二方向アラミド繊維シートを使用し、エポキシ樹脂系の接着剤などでドーム４の表面に接着する。
【００２０】
次に、ドームリング３の外周から保護被覆層６を撤去すると共に、保護被覆層６の撤去で露出した既設のＰＣ鋼線５も撤去するが、ＰＣ鋼線５が下側の側壁部２内に連続している場合には、側壁部２との境界部分に定着具（図示を省略）を設けてＰＣ鋼線５が緩まないように定着させた後に、定着具の上方でＰＣ鋼線５を切断して撤去し、その外周面は不陸のない状態に整形（下地処理）する。
【００２１】
次に、図３及び図４のように、ドームリング３の外周囲に修復用のＰＣ鋼線８を巻装し、緊張具９で両端を締め付けてＰＣ鋼線８を緊張させてプレストレスを付与するが、緊張具９は例えばＰＣ鋼線８の両端を挿通する支圧部材１０と、ＰＣ鋼線８の両端ねじ部８ａ，８ｂに螺合して支圧部材１０の両側で締め付けを行う締結ナット１１，１１で構成されている。
【００２２】
ＰＣ鋼線８は、既設のＰＣ鋼線５と同様のシースのない裸鋼線に置換することも可能であるが、外周がシースで被覆されて防錆性能が高く且つ、引張力が大きいＰＣ鋼線の使用が望ましく、引張力が大きいので既設のＰＣ鋼線５に対して少ない本数のＰＣ鋼線に置換でき、置換作業が容易になると共に、防錆性能が高いので耐久性も向上する。
【００２３】
このようにして、一本の裸鋼線を螺旋状に連続して巻装した既設のＰＣ鋼線５を、一周毎に巻装した複数本のＰＣ鋼線を平行状に配置した修復用のＰＣ鋼線８に置換させるが、連続繊維シート７でドーム４が補強されているので、スラスト力が軽減された状態で既設のＰＣ鋼線５を一括して撤去し、各ＰＣ鋼線８に同時に置換させることが可能である。
【００２４】
次に、ドームリング３の外周に型枠（図示を省略）を設けて、図５のように、ＰＣ鋼線８を埋設する態様で後打ちコンクリートを打設して補強リング１２を設けるが、この補強リング１２は図６のように、緊張具９の隣接部分を除外した状態で設けられる。
【００２５】
次に、緊張具９の締結ナット１１，１１を締め付け、ＰＣ鋼線８に対してプレストレスを導入した後に、図７のように緊張具９を含む隣接部分に化粧コンクリート１３を打設し、補強リング１２と面一に仕上げて修復作業は完了するが、連続繊維シート７は、ＰＣタンク１の補強部材としてそのまま残しておく。
【図面の簡単な説明】
【図１】本発明によるＰＣタンクのドームリング修復工法が実施対象とするＰＣタンクの要部縦断面図を示す。
【図２】本発明工法の施工工程の詳細説明図であり、ドームを連続繊維シートで補強すると共に、修復個所の保護被覆層を撤去した状態を縦断面図で示す。
【図３】本発明工法の施工工程の詳細説明図であり、既設のＰＣ鋼線を撤去した跡に修復用のＰＣ鋼線を装着した状態を縦断面図で示す。
【図４】図３の工程における修復用のＰＣ鋼線に装着した緊張具を含む修復個所を横断面図で示す。
【図５】本発明工法の施工工程の詳細説明図であり、修復用のＰＣ鋼線を装着した修復個所に補強リングを設けた状態を縦断面図で示す。
【図６】図５の工程における修復用のＰＣ鋼線に装着した緊張具を含む修復個所を横断面図で示す。
【図７】本発明工法の施工工程の詳細説明図であり、緊張具を含む修復個所に化粧コンクリートを設けた状態を横断面図で示す。
【符号の説明】
１　ＰＣタンク
２　側壁部
３　ドームリング
４　ドーム
５　（既設の）ＰＣ鋼線
６　（既設の）保護被覆層
７　連続繊維シート
８　（修復用の）ＰＣ鋼線
９　緊張具
１０　支圧部材
１１　締結ナット
１２　補強リング
１３　化粧コンクリート
【図１】
2004131968.tif 000003
【図２】
2004131968.tif 000004
【図３】
2004131968.tif 000005
【図４】
2004131968.tif 000006
【図５】
2004131968.tif 000007
【図６】
2004131968.tif 000008
【図７】
2004131968.tif 000009